(57)【要約】【課題】接触入力が端末装置に受け付けられたことに伴う端末装置の画面変化を確認し易いスタンプを提供する。【解決手段】本発明に係るスタンプは、所定の相対的な位置関係で配置された複数の接触子を備え、前記複数の接触子で端末装置のタッチパネルが接触又は押下されることにより、前記端末装置に前記所定の相対的な位置関係を有する複数の位置での接触又は押下を検出させるスタンプである。このスタンプは、接触子が設けられている接触面とは反対側からスタンプの接触面の背後を見通せるように構成された見通し領域を備えることを特徴とするスタンプ。【選択図】図２
2020080032.tif 000002
【特許請求の範囲】
【請求項１】
所定の相対的な位置関係で配置された複数の接触子を備え、前記複数の接触子で端末装置のタッチパネルが接触又は押下されることにより、前記端末装置に前記所定の相対的な位置関係を有する複数の位置での接触又は押下を検出させるスタンプであって、
接触子が設けられている接触面とは反対側から前記接触面の背後を見通せるように構成された見通し領域を備えることを特徴とするスタンプ。
【請求項２】
前記見通し領域の少なくとも一部は、前記複数の接触子のうち最外部にある接触子を結んだ閉曲線の内側に設けられることを特徴とする請求項１に記載のスタンプ。
【請求項３】
前記見通し領域の少なくとも一部は、固体物質が充填されない空隙として設けられることを特徴とする請求項２に記載のスタンプ。
【請求項４】
前記見通し領域の少なくとも一部は、透明の素材で充填されていることを特徴とする請求項２または３に記載のスタンプ。
【請求項５】
前記複数の接触子が設けられる領域の重心位置を含む領域に前記複数の接触子のうちの１つが中央接触子として設けられることを特徴とする請求項１から４のいずれか１項に記載のスタンプ。
【請求項６】
前記中央接触子の前記端末装置に接触する部分とは反対側の面に、前記端末装置に押し付ける押圧力を受ける押圧部が設けられることを特徴とする請求項５に記載のスタンプ。
【発明の詳細な説明】
【技術分野】
【０００１】
本発明は、端末装置が実装するマルチタッチ対応のタッチパネルに押印するための電子印章（スタンプ）に関する。
【背景技術】
【０００２】
近年、端末装置、とりわけスマートフォンをはじめとする携帯端末においては、画面に指などを接触させることなどにより端末の操作や情報の入力を行うタッチパネル方式を採用するものが広く普及している。
【０００３】
このような中、情報の入力をタッチパネルへの接触により行うという特徴を活かし、様々なシステムが考案されている。例えば、スポーツやコンサート等のイベント会場の入場ゲートで、専用の電子チケットアプリケーションの起動により電子チケットが表示された端末装置を係員に提示し、係員がスタンプを接触させることによってチケット使用済の表示に遷移させる消込処理をおこなった上で会場内への入場を認める電子チケットシステムが実現されている（特許文献１を参照）。
【０００４】
特許文献１の電子チケットシステムでは、消込処理が正常に行われると、端末装置の表示画面におけるスタンプを接触させた位置に印影画像を表示することにより、紙のチケットに消印が押されるのと類似した演出を実現している。
【先行技術文献】
【特許文献】
【０００５】
【特許文献１】特開２０１５−００５２７５号公報
【発明の概要】
【発明が解決しようとする課題】
【０００６】
上記のように消込処理が正常に行われたときに、端末装置の表示画面におけるスタンプを接触させた位置に印影画像を表示する場合、スタンプを表示画面から離すまで印影画像が表示されたか否かを確認することができない。このため、消込処理が行われる前にスタンプを離したり、接触状態に不備があったりといった様々な理由で消込処理が正常に行われなかった場合には、スタンプを離して印影が表示されていないことを確認したうえで、改めてスタンプを押しなおす必要がある。
【０００７】
イベント会場の入場ゲートでは、入場の処理を円滑に行う必要があるところ、上記のようにスタンプを離さなければ消込処理が正常に行われたことを確認できないことにより処理が遅滞するという問題があった。
【０００８】
このような課題に鑑み、本発明は接触入力が端末装置に受け付けられたことに伴う端末装置の画面変化を確認し易いスタンプを提供することを目的とする。
【課題を解決するための手段】
【０００９】
上記の課題を解決すべく、本発明に係るスタンプは、所定の相対的な位置関係で配置された複数の接触子を備え、複数の接触子で端末装置のタッチパネルが接触又は押下されることにより、端末装置に所定の相対的な位置関係を有する複数の位置での接触又は押下を検出させるスタンプであり、接触子が設けられている接触面とは反対側から接触面の背後を見通せるように構成された見通し領域を備えることを特徴とする。
【００１０】
このような構成により、接触入力が端末装置に受け付けられたことに伴う端末装置の画面変化を確認し易くすることができる。
【００１１】
本発明では、見通し領域の少なくとも一部は、複数の接触子のうち最外部にある接触子を結んだ閉曲線の内側に設けられるとよい。
【００１２】
本発明では見通し領域の少なくとも一部は、固体物質が充填されない空隙として設けられるとよい。また、見通し領域の少なくとも一部は、透明の素材で充填されてもよい。
【００１３】
本発明では複数の接触子が設けられる領域の重心位置を含む領域に複数の接触子のうちの１つが中央接触子として設けられるとよい。また、中央接触子の端末装置に接触する部分とは反対側の面に、端末装置に押し付ける押圧力を受ける押圧部が設けられるとよい。
【図面の簡単な説明】
【００１４】
【図１】本発明の端末装置の構成を示す図である。
【図２】スタンプの斜視図である。
【図３】スタンプの平面図である。
【図４】スタンプの側面図である。
【図５】スタンプの断面図である。
【図６】スタンプの底面図である。
【図７】スタンプの底面における領域を示す図である。
【図８】スタンプの変形例を示す底面図である。
【発明を実施するための形態】
【００１５】
以下、図面を参照して本発明の実施の形態を説明する。
【００１６】
［端末装置］
図１は、本発明のスタンプ２０による接触を受け付ける端末装置１０の構成の一例を示している。端末装置１０は、表示部１１、タッチパネル１２、及び制御部１３を少なくとも備え、その他、端末装置１０の用途に応じた各種機能が実装される。端末装置１０の具体例としては、スマートフォン、タブレット端末等が挙げられる。
【００１７】
表示部１１は、液晶ディスプレイ、有機ＥＬディスプレイ等の表示素子により構成される。表示部１１は、端末装置１０の筐体の前面に広く設けられる。タッチパネル１２は、複数の位置での接触又は押下を同時に検出可能なマルチタッチ方式のタッチパネルである。タッチパネルには、静電的な導電性を持つ物体を接触させることにより検知する方式（例えば、静電容量方式）やタッチパネルが押下されることにより検知する方式（例えば、抵抗膜方式）などがあるが、複数の位置での接触又は押下を同時に検出可能な方式であればいかなる方式であっても構わない。タッチパネル１２は表示部１１に重畳して設けられ、両者は制御部１３による制御の下で協働し、いわゆるタッチパネルディスプレイとして機能する。
【００１８】
制御部１３は、タッチパネル１２において所定の相対的な位置関係を有する複数の位置での接触又は押下が検出されたことを条件に、所定の印影画像を表示部１１に表示させる制御を含む所定の制御を行う。この所定の相対的な位置関係を有する複数の位置での接触又は押下を実現すべく、この所定の相対的な位置関係に対応する配置で接触子が設けられたスタンプ２０が準備される。所定の処理には、印影画像の表示のほか、スタンプ２０を押印する目的に応じて、電子チケットの消込等の処理を含めるとよい。検出した接触の位置の位置関係を相対的に定義することにより、押印される向きによらず位置関係の判定を可能とすることができる。なお、相対的な位置関係を示す情報は、制御部１３自身が保持していてもよいし、端末装置１０の記憶手段が保持しそこから読み出してもよい。また、ネットワークを介したサーバ等の他の装置が保持しそこから読み出してもよい。所定の印影画像を表示部１１に表示する位置は、タッチパネル１２が接触を検出した複数の位置に基づき決定されるとよい。例えば、当該複数の位置に対して予め定められた位置、当該複数の位置の重心等に表示するとよい。
【００１９】
［スタンプ］
図２は、スタンプ２０の構造を示す斜視図である。図３は、スタンプ２０の平面図である。図４は、スタンプ２０の側面図である。図５はスタンプ２０の図３におけるＡ−Ａ’断面図である。図６は、スタンプ２０の底面図である。図２〜図６に示すように、スタンプ２０は、本体部２１と接触部２２とを備える構成される。
【００２０】
本体部２１は、主にスタンプ２０の上部を構成する被導電性（絶縁性）部材であり、樹脂等で一体的に形成されている。本体部２１はフレーム２１１と、把持部２１２とを備える。フレーム２１１は円環状の部材であり中央部に貫通孔が設けられている。フレーム２１１は、環部の断面部が半円形となる丸みを帯びた形状に形成される。フレーム２１１の円環の一箇所から円環の径方向外側に把持部２１２が突設される。把持部２１２はユーザがスタンプ２０を把持しやすくするとともにスタンプ２０の向きを認識しやすくする。フレーム２１１の下面には篏合溝２１３が設けられる。
【００２１】
接触部２２は、スタンプ２０の下部を構成する導電性の部材であり、導電性の樹脂（導電性ゴム）で一体的に形成される。接触部２２の下面は、端末装置１０のタッチパネル１２に押し当てられる面となる。接触部２２は、周縁部２２１、中央部２２２、及び接続部２２３を備える。周縁部２２１は、本体部２１に取り付けられたときにフレーム２１１の下部に位置する円環状の部材である。周縁部２２１の上面には、篏合溝２１３に対応する形状の篏合突起２２４が設けられている。篏合溝２１３に篏合突起２２４が嵌め合わせて圧入することにより、本体部２１に接触部２２が取り付けられる。周縁部２２１の円環内の中央部には接続部２２３を介して中央部２２２が設けられる。中央部２２２の下面には後述するように中央接触子２２６が設けられる。この中央接触子２２６を含む接触子をタッチパネル１２に確実に接触させるために圧力をかけ易くするべく、中央部の上面（すなわち、中央接触子とは反対の面）に押圧部２２７が設けられる。押圧部２２７は、接触部２２が本体部２１に取り付けられた状態でその上端が本体部２１の上端と同程度の高さになるよう形成されている。中央部２２２の上面を押したときに各接触子に加わる押圧力に偏りが生じないように、中央接触子２２６は接触子が設けられ得る領域の重心位置を含むように設けられとよい。
【００２２】
図４〜図６に示されるように、周縁部２２１の下面には、タッチパネル１２に接触する周縁接触子２２５が突設されている。図７に示されるように、周縁接触子２２５は、タッチパネル１２に接触させるときに姿勢を安定させるべく周縁接触子２２５が配置され得る領域Ｒ（つまり、周縁部２２１の下面）を円環の中心角において９０度ずつに区切った４つの領域（Ｒ１〜Ｒ４）のそれぞれに少なくとも１つ以上設けられる。また、中央部２２２の下面には、タッチパネル１２に接触する中央接触子２２６が突設されている。周縁接触子２２５と中央接触子２２６の配置パターンがタッチパネル１２への接触の位置となる。接触部２２は、タッチパネル１２が識別できる複数種類の配置パターンのものが用意され、本体部２１に付け替えて使うことができる。配置パターンのバリエーションとして、周縁接触子２２５及び／又は中央接触子２２６の位置や数を変化させたものを用意するとよい。
【００２３】
スタンプ２０は、接触子が設けられている接触面とは反対側から接触面の背後を見通せるように構成された見通し領域２３を備える。図３及び図５に示されるように、本体部２１と接触部２２とを嵌め合わせてスタンプ２０を組み上げた状態において、フレーム２１１及び周縁部２２１が為す円環と中央部２２２との間の、上方（本体部２１側）からスタンプ２０の背後を見通せるように構成された部分が本実施形態のスタンプ２０における見通し領域２３である。見通し領域２３は、少なくともその一部が、スタンプ２０が有する複数の接触子（周縁接触子２２５及び中央接触子２２６）のうち最外部にある接触子（本例では全ての周縁接触子２２５）を結んだ閉曲線の内側に位置するように構成される。したがって、スタンプ２０をタッチパネル１２に接触させたことに応じて表示部１１に表示される印影画像がスタンプ２０外形に隠れてしまうサイズのものであっても、スタンプ２０をタッチパネル１２に接触させたままの状態で見通し領域２３からスタンプ２０の直下のタッチパネル１２の表示に変化があったか否かを視認することができる。
【００２４】
本例では、見通し領域２３は固体物質が充填されない空隙として設けられる。なお、見通し領域２３は上方（本体部２１側）からスタンプ２０の背後を見通せるように構成されていれば空隙でなくてもよく、例えば、見通し領域２３の一部又は全部が透明な樹脂等の素材が充填されていてもよい。
【００２５】
［実施形態の変形］
本発明は上記の実施形態の例に限定されるものではなく、本発明の目的を達成できる範囲での変形、改良等は本発明に含まれる。すなわち、スタンプ２０は、接触入力が端末装置に受け付けられたことに伴う端末装置の画面変化を確認し易くするために見通し領域２３を備えていれば、いかなる形状や構造であってもよい。
【００２６】
例えば、スタンプ２０の押印面の外形は上記実施形態におけるような円形に限定されず、四角形、三角形、楕円形、ハート形等の任意の形状としてよい。
【００２７】
また、見通し領域２３は、少なくともその一部が複数の接触子のうち最外部にある接触子を結んだ閉曲線の内側に設けられることが好ましいが、本発明のように円環状のフレーム２１１及び周縁部２２１の内側に中空状に設けられなくてもよい。例えば、図８（ａ）から８（ｂ）に示すように、フレーム２１１及び周縁部２２１に対する切り欠きとして見通し領域２３が設けられてもよい。また、図８（ｃ）に示すように、フレームを周状ではなく中央部から放射状に形成し、その先端付近に設けた接触子を「最外部にある接触子」としてもよい。図８（ｃ）の構成では、図中で破線で囲った領域が見通し領域２３となる。
【００２８】
また、上記の実施形態では、把持部２１２は本体部２１の一部として形成されたが、接触部２２の一部として把持部を設けてもよい。
【００２９】
また、上記の実施形態では、端末装置は、スタンプ２０による押印時に、タッチパネル１２で所定の相対的な位置関係を有する複数の位置への接触又は押下を検知した場合に、印影画像を表示する構成としたが、スタンプ２０による押印時の反応は上記に限定されない。例えば、タッチパネル１２が所定数以上の位置への接触又は押下を検知した場合に表示部１１に、接触又は押下の相対的な位置関係に関わらず、所定数以上の接触又は押下があったことを示す第１の反応（例えば、画面の全面が第１の色で光るなど表示部１１の表示内容を変化させる、バイブレータを振動させる、所定の音を鳴らす、等の反応）をし、接触又は押下の相対的な位置関係が所定の関係である場合に第２の反応（例えば、第１の反応とは異なる反応であって、画面の全面が第２の色で光るなど表示部１１の表示内容を変化させる、バイブレータを振動させる、所定の音を鳴らす、等の反応）をするようにしてもよい。このように、接触又は押下の数が所定数以上であることを条件に第１の反応をするように構成すれば、少なくとも押印が受け付けられていることをユーザ（例えばチケットのもぎり担当者）に認識させることができる。これにより、押印を受けて実行される処理（例えばサーバとの通信、接触又は押下の相対的な位置関係の照合等）が完了する前に何度もスタンプを押印してしまったり、押印が受け付けられていないにもかかわらず通信等の処理待ちかと誤認して待ち続けてしまったりといった事態を防ぐことができる。その結果、例えば入場ゲートでの電子チケットの消込に当該スタンプを利用する場合等には、消込時の不要な待ち時間を抑制し入場をスムーズにすることができる。また、第１の反応があったにも関わらず第２の反応がない場合には、接触又は押下の相対的な位置関係が間違っていると端末装置が認識していることをユーザに速やかに知らせることができる。
【００３０】
また、第２の反応として印影画像を表示するようにしてもよいが、相対的な位置関係が所定の関係であることが確認されただけでは印影画像を表示せず、適切なスタンプの押印に伴い実行される電子チケットの消込等の処理が完了したことを条件に印影画像を表示するようにしてもよい。このようにすれば、少なくとも押印したスタンプが適切であることと、電子チケットの消込等の処理が完了したこととを、区別してユーザに認識させることができる。
【００３１】
前述の実施形態またはその具体例に対して、当業者が適宜、構成要素の追加、削除、設計変更を行ったものも、本発明の要旨を備えている限り、本発明の範囲に含有される。
【符号の説明】
【００３２】
１０  端末装置
１１  表示部
１２  タッチパネル
１３  制御部
２０  スタンプ
２１  本体部
２１１  フレーム
２１２  把持部
２１３  篏合溝
２２  接触部
２２１  周縁部
２２２  中央部
２２３  接続部
２２４  篏合突起
２２５  周縁接触子
２２６  中央接触子
２２７  押圧部
２３  見通し領域
【図１】
2020080032.tif 000003
【図２】
2020080032.tif 000004
【図３】
2020080032.tif 000005
【図４】
2020080032.tif 000006
【図５】
2020080032.tif 000007
【図６】
2020080032.tif 000008
【図７】
2020080032.tif 000009
【図８】
2020080032.tif 000010